(57)【要約】【課題】ゴルフのスイングの練習等で用いられる、スイング中に、膝を曲げた状態で確実に固定できる矯正器具を提供する。【解決手段】膝を前面側から被覆するベース部１０と、上腿を前面側から被覆する上腿装着部２０と、下腿を前面側から被覆する下腿装着部３０と、ベース部に取り付けられた固定機構４０とを備える。上腿装着部及び下腿装着部は、互いに連動して、ベース部を基準に互いに反対回りに回動可能である。固定機構は、上腿装着部及び下腿装着部の回動を抑制することによって、ベース部に対して上腿装着部及び下腿装着部を固定する。【選択図】図１
2016112129.tif 000002
【特許請求の範囲】
【請求項１】
膝を前面側から被覆するベース部と、上腿を前面側から被覆する上腿装着部と、下腿を前面側から被覆する下腿装着部と、前記ベース部に取り付けられた固定機構とを備え、
前記上腿装着部及び前記下腿装着部は、互いに連動して、前記ベース部を基準に互いに反対回りに回動可能であり、
前記固定機構は、前記上腿装着部及び前記下腿装着部の回動を抑制することによって、前記ベース部に対して前記上腿装着部及び前記下腿装着部を固定する
ことを特徴とする矯正器具。
【請求項２】
前記固定機構は、
前記ベース部に取り付けられた中央部と、
一端側で、前記ベース部と前記中央部とに挟み込まれた状態で上部留め具によって前記ベース部と接続され、他端側で前記上腿装着部と接続され、かつ前記上部留め具を中心として回動可能とされた上部アーム部と、
一端側で、前記ベース部と前記中央部とに挟み込まれた状態で下部留め具によって前記ベース部と接続され、他端側で前記下腿装着部と接続され、かつ前記下部留め具を中心として回動可能とされた下部アーム部と、
前記中央部に取り付けられた第１ナット、前記上部アーム部及び前記下部アーム部のいずれか一方に取り付けられた第２ナット、並びに前記第１ナット及び前記第２ナットに順次に通されて、該第１ナット及び該第２ナットと接続されたボルトを含む回動制御部と
を備え、
前記上部アーム部及び前記下部アーム部は、互いに連動し、かつ互いに反対回りに回動し、
前記ボルトを回すことによって、前記第１ナット及び前記第２ナットの離間距離が変化し、前記離間距離の変化に伴って、前記上部アーム部及び前記下部アーム部が回動する
ことを特徴とする請求項１に記載の矯正器具。
【請求項３】
前記固定機構は、
一端側で、上部留め具によって前記ベース部と接続され、他端側で前記上腿装着部と接続され、かつ前記上部留め具を中心として回動可能とされた上部アーム部と、
一端側で、下部留め具によって前記ベース部と接続され、他端側で前記下腿装着部と接続され、かつ前記下部留め具を中心として回動可能とされた下部アーム部と、
前記ベース部に取り付けられた第１ナット、前記上部アーム部及び前記下部アーム部のいずれか一方に取り付けられた第２ナット、並びに前記第１ナット及び前記第２ナットに順次に通されて、該第１ナット及び該第２ナットと接続されたボルトを含む回動制御部と
を備え、
前記上部アーム部及び前記下部アーム部は、互いに連動し、かつ互いに反対回りに回動し、
前記ボルトを回すことによって、前記第１ナット及び前記第２ナットの離間距離が変化し、前記離間距離の変化に伴って、前記上部アーム部及び前記下部アーム部が回動する
ことを特徴とする請求項１に記載の矯正器具。
【請求項４】
前記固定機構は、
前記ベース部に取り付けられた中央部と、
一端側で、前記ベース部と前記中央部とに挟み込まれた状態で上部留め具によって前記ベース部と接続され、他端側で前記上腿装着部と接続され、かつ前記上部留め具を中心として回動可能とされた上部アーム部と、
一端側で、前記ベース部と前記中央部とに挟み込まれた状態で下部留め具によって前記ベース部と接続され、他端側で前記下腿装着部と接続され、かつ前記下部留め具を中心として回動可能とされた下部アーム部と、
前記中央部を貫通して設けられたネジ部と
を備え、
前記上部アーム部及び前記下部アーム部は、互いに連動し、かつ互いに反対回りに回動し、
前記ネジ部を締める方向に回すことによって、前記ネジ部と前記ベース部とで前記上部アーム部及び前記下部アーム部の少なくとも一方が、又は前記中央部と前記ベース部とで前記上部アーム部及び前記下部アーム部の双方が押圧される
ことを特徴とする請求項１に記載の矯正器具。
【請求項５】
前記上部アーム部は、上腿装着部と一体的に構成されており、
前記下部アーム部は、下腿装着部と一体的に構成されている
ことを特徴とする請求項２〜４のいずれか一項に記載の矯正器具。 
【発明の詳細な説明】
【技術分野】
【０００１】
この発明は、ゴルフのスイングの練習等で用いられる、膝を曲げた状態で固定する矯正器具に関する。
【背景技術】
【０００２】
例えばゴルフでは、膝を曲げた状態を維持してスイングすることによって、打力や打球の飛ぶ方向が安定するとされている。そこで、ゴルフのスイングの練習に用いられる器具として、膝を曲げた状態で固定する矯正器具がある（例えば特許文献１参照）。
【０００３】
特許文献１による矯正器具（以下、従来の矯正器具）は、上腿に背面側から装着される太もも部と、下腿にふくらはぎ側から装着されるふくらはぎ部とが、蝶番によって連結されて構成されている。太もも部の背面とふくらはぎ部の背面とは、長さを調整可能なベルトによって接続されている。そして、このベルトの長さに応じて蝶番の開閉角度（すなわち太もも部とふくらはぎ部との間の角度）が決定される。従来の矯正器具を脚に装着し、蝶番の開閉角度を決定することによって、その角度に応じて曲がった状態で膝が固定される。従って、従来の矯正器具を脚に装着することによって、任意の角度で膝を曲げた状態を維持して、スイングを行うことができる。
【先行技術文献】
【特許文献】
【０００４】
【特許文献１】実開昭６２−３９７６７号公報
【発明の概要】
【発明が解決しようとする課題】
【０００５】
従来の矯正器具は、上腿及び下腿に背面側から装着される構成であり、膝そのものに固定的に装着される部分がない。そのため、膝が前方（膝頭側）にズレやすく、任意の角度で膝を曲げた状態を確実に固定できないと考えられる。従って、任意の角度で膝を曲げた状態を確実に固定できる矯正器具が望まれている。
【０００６】
この発明は、ゴルフのスイングの練習等で用いられる、スイング中に、膝を曲げた状態で確実に固定できる矯正器具を提供することにある。
【課題を解決するための手段】
【０００７】
上述した目的を達成するために、この発明の矯正器具は、膝を前面側から被覆するベース部と、上腿を前面側から被覆する上腿装着部と、下腿を前面側から被覆する下腿装着部と、ベース部に取り付けられた固定機構とを備える。上腿装着部及び下腿装着部は、互いに連動して、ベース部を基準に互いに反対回りに回動可能とされている。固定機構は、上腿装着部及び下腿装着部の回動を抑制することによって、ベース部に対して上腿装着部及び下腿装着部を固定する。
【発明の効果】
【０００８】
この発明の矯正器具は、上腿装着部及び下腿装着部を回動させることによって、上腿装着部と下腿装着部との成す角度を任意に調整することができる。そして、上腿装着部と下腿装着部との成す角度を決定した後に、固定機構によって、上腿装着部及び下腿装着部の回動を抑制することができる。従って、この発明の矯正器具では、上腿装着部と下腿装着部との成す角度を任意に調整した状態で、上腿装着部及び下腿装着部をベース部に対して固定することができる。従って、この発明の矯正器具を装着することによって、上腿装着部と下腿装着部との成す角度に応じた角度で、膝を曲げた状態で固定することができる。
【０００９】
また、この発明の矯正器具は、ベース部で膝を前面側から被覆し、上腿装着部で上腿を前面側から被覆し、及び下腿装着部で下腿を前面側から被覆した状態で装着される。そのため、この発明の矯正器具を装着した状態において、膝が前方（膝頭側）にズレることが防止される。従って、この発明の矯正器具では、膝を曲げた状態で確実に固定することができる。
【００１０】
このように、この発明の矯正器具では、膝を曲げる角度を任意に調整することができ、かつ膝を曲げた状態で確実に固定することができる。従って、この発明の矯正器具を脚に装着することによって、ゴルフの練習等において、膝を任意の角度の状態で維持して、スイングを行うことができる。
【図面の簡単な説明】
【００１１】
【図１】第１の矯正器具を示す斜視図である。
【図２】（Ａ）及び（Ｂ）は、第１の矯正器具を示す側面図である。
【図３】第１の矯正器具が備える固定機構の拡大図である。
【図４】第１の矯正器具を脚に装着した状態を示す模式図である。
【図５】（Ａ）及び（Ｂ）は、第２の矯正器具を示す側面図である。
【発明を実施するための形態】
【００１２】
以下、図を参照して、この発明の実施の形態について説明するが、各構成要素の配置関係については、この発明が理解できる程度に概略的に示したものに過ぎない。また、以下、この発明の好適な構成例につき説明するが、数値的条件などは、単なる好適例にすぎない。従って、この発明は以下の実施の形態に限定されるものではなく、この発明の構成の範囲を逸脱せずにこの発明の効果を達成できる多くの変更又は変形を行うことができる。
【００１３】
（第１の矯正器具）
図１及び図２を参照して、この発明の第１の実施の形態による矯正器具（以下、第１の矯正器具とも称する）について説明する。図１は、第１の矯正器具を示す斜視図である。図２（Ａ）は、第１の矯正器具を一方の側面側から見た側面図である。図２（Ｂ）は、第１の矯正器具を、図２（Ａ）とは反対の他方の側面側から見た側面図である。なお、図１及び図２では、一例として、左脚用の矯正器具の構成を示している。矯正器具を右脚用とする場合には、図１及び図２に示す矯正器具を、左右対称に構成すればよい。
【００１４】
第１の矯正器具１００は、ベース部１０と、上腿装着部２０と、下腿装着部３０と、固定機構４０とを備えて構成される。
【００１５】
ベース部１０は、例えば椀状体として構成されている。ベース部１０は、第１の矯正器具１００が脚（ここでは左脚）に装着される際に、膝を前面側（すなわち膝頭側）から被覆する。
【００１６】
上腿装着部２０は、第１の矯正器具１００が脚に装着される際に、上腿の主に太ももを前面側から被覆する。上腿装着部２０は、太ももに沿って湾曲した板状体として構成することができる。
【００１７】
上腿装着部２０は、ベース部１０を基準に回動可能な状態で、ベース部１０と接続されている。この実施の形態では、一方の側面側においては、後述する固定機構４０によって、ベース部１０と上腿装着部２０とが接続されている（図２（Ａ））。また、他方の側面側においては、例えばピンやリベット等の留め具５３によって、ベース部１０と上腿装着部２０とが接続されている（図２（Ｂ））。
【００１８】
また、上腿装着部２０には、一対のベルトループ７１及び７２を設けることができる。図２では、上腿装着部２０の両側の縁にそれぞれ一つずつベルトループ７１又は７２を設ける構成を示している。ベルトループ７１及び７２にはベルト８１が通されている。このベルト８１を上腿に巻き付けることによって、上腿装着部２０を上腿に装着することができる。
【００１９】
下腿装着部３０は、第１の矯正器具１００が脚に装着される際に、下腿の主に脛を前面側から被覆する。下腿装着部３０は、脛に沿って湾曲した板状体として構成することができる。
【００２０】
下腿装着部３０は、ベース部１０を基準に回動可能な状態で、ベース部１０と接続されている。この実施の形態では、一方の側面側においては、後述する固定機構４０によって、ベース部１０と下腿装着部３０とが接続されている（図２（Ａ））。また、他方の側面側においては、例えばピンやリベット等の留め具５４によって、ベース部１０と上腿装着部２０とが接続されている（図２（Ｂ））。
【００２１】
また、下腿装着部３０には、一対のベルトループ７３及び７４を設けることができる。図２では、下腿装着部３０の両側の縁にそれぞれ一つずつベルトループ７３又は７４を設ける構成を示している。ベルトループ７３及び７４にはベルト８２が通されている。このベルト８２を下腿に巻き付けることによって、下腿装着部３０を下腿に装着することができる。
【００２２】
ベース部１０、上腿装着部２０及び下腿装着部３０は、それぞれ例えばプラスティック等を材料として形成することができる。なお、上述したベルトループ及びベルトの数及び位置は図１及び図２の構成例に限定されない。脚に安定して装着させるために、例えばベルトループ及びベルトをさらに追加して設けることもできる。
【００２３】
固定機構４０は、中央部４１、上部アーム部４２、下部アーム部４３及び回動制御部４６を含んで構成されている。図３を参照して、固定機構４０について説明する。図３は、図１及び図２に示す固定機構４０の拡大図である。
【００２４】
中央部４１は、ベース部１０の、一方の側面側の縁周辺に位置決めされて取り付けられている。中央部４１は、例えばネジ等の一対の留め具（上部留め具５１及び下部留め具５２）によって、ベース部１０に取り付けられている。上部留め具５１は、他方の側面側でベース部１０と上腿装着部２０とを接続する留め具５３（図２（Ｂ））と対向する位置に位置決めされている。また、下部留め具５２は、他方の側面側でベース部１０と下腿装着部３０とを接続する留め具５４（図２（Ｂ））と対向する位置に位置決めされている。
【００２５】
上部アーム部４２は、一端４２ａ側でベース部１０と接続されている。上部アーム部４２の一端４２ａ付近は、ベース部１０と中央部４１とに挟み込まれた状態で、上述した上部留め具５１によって、ベース部１０と接続されている。そして、上部アーム部４２は、上部留め具５１を中心として回動可能とされている。
【００２６】
また、上部アーム部４２は、他端４２ｂ側で上腿装着部２０と接続されている。上部アーム部４２と上腿装着部２０とは、例えばネジ等の留め具によって接続されている。図３では、上部アーム部４２と上腿装着部２０とが、２つの留め具６１及び６２によって接続されている構成例を示している。
【００２７】
下部アーム部４３は、一端４３ａ側でベース部１０と接続されている。下部アーム部４３の一端４３ａ付近は、ベース部１０と中央部４１とに挟み込まれた状態で、上述した下部留め具５２によって、ベース部１０と接続されている。そして、下部アーム部４３は、下部留め具５２を中心として回動可能とされている。
【００２８】
また、下部アーム部４３は、他端４３ｂ側で下腿装着部３０と接続されている。下部アーム部４３と下腿装着部３０とは、例えばネジ等の留め具によって接続されている。図３では、下部アーム部４３と下腿装着部３０とが、２つの留め具６３及び６４によって接続されている構成例を示している。
【００２９】
上部アーム部４２の一端４２ａ側には、縁が連続する凹凸とされた歯車４４が形成されている。また、下部アーム部４３の一端４３ａ側には、縁が連続する凹凸とされた歯車４５が形成されている。そして、歯車４４と歯車４５とが係合されている。従って、上部アーム部４２及び下部アーム部４３は、互いに連動し、かつ互いに反対回りに回動する。
【００３０】
回動制御部４６は、ボルト４７、第１ナット４８及び第２ナット４９を含んで構成されている。
【００３１】
第１ナット４８は、中央部４１に取り付けられている。また、第２ナット４９は、上部アーム部４２及び下部アーム部４３のいずれか一方に取り付けられている。図３では、第２ナット４９が下部アーム部４３に取り付けられている構成例を示している。ボルト４７は、第１ナット４８及び第２ナット４９に順次に通されて、これら第１ナット４８及び第２ナット４９と接続されている。
【００３２】
第２ナット４９は、ボルト４７の一端部に位置決めされている。第２ナット４９は、ネジ穴内のタップが削除されており、ボルト４７を回しても、第２ナット４９とボルト４７との接続位置が変わらない。すなわち、第２ナット４９は、ボルト４７の一端部に、位置的に固定して接続されている。一方、第１ナット４８は、ボルト４７を回すことによって、ボルト４７との接続位置が移動する。従って、ボルト４７を回すことによって、第１ナット４８と第２ナット４９との離間距離が変化する。この離間距離の変化に伴って、下部アーム部４３が回動する。そして、下部アーム部４３の回動に連動して、上部アーム部４２が回動する。既に説明したように、上部アーム部４２は、ベース部１０及び上腿装着部２０と接続されている。また、下部アーム部４３は、ベース部１０及び下腿装着部３０と接続されている。そのため、上部アーム部４２及び下部アーム部４３の回動に伴って、上腿装着部２０及び下腿装着部３０が回動する。そして、上腿装着部２０及び下腿装着部３０は、互いに連動して、ベース部１０を基準に互いに反対回りに回動する。
【００３３】
なお、ここでは、第２ナット４９を下部アーム部４３に取り付ける構成について説明したが、第２ナット４９を上部アーム部４２に取り付けることもできる。その場合には、第１ナット４８と第２ナット４９との離間距離の変化に伴って、上部アーム部４２が回動する。そして、上部アーム部４２の回動に連動して、下部アーム部４３が回動する。
【００３４】
このように、第１の矯正器具１００では、固定機構４０が備える回動制御部４６のボルト４７を回すことによって、上腿装着部２０及び下腿装着部３０を回動させることができる。そして、回動制御部４６の第１ナット４８と第２ナット４９との離間距離によって、上腿装着部２０と下腿装着部３０との成す角度を決定することができる。第１ナット４８と第２ナット４９との離間距離は、ボルト４７を回すことによって、任意に調整可能である。従って、第１の矯正器具１００では、上腿装着部２０と下腿装着部３０との成す角度を任意に調整することができる。
【００３５】
一方、第１の矯正器具１００では、回動制御部４６のボルト４７を回さなければ、第１ナット４８と第２ナット４９との離間距離が変化しない。そのため、下部アーム部４３の回動、及びこれに連動する上部アーム部４２の回動が抑制される。従って、第１の矯正器具１００では、上腿装着部２０と下腿装着部３０との成す角度を任意に調整した状態で、上腿装着部２０及び下腿装着部３０をベース部１０に対して固定することができる。
【００３６】
次に、図４を参照して、この実施の形態の矯正器具を脚に装着した状態について説明する。図４は、脚に装着した状態の矯正器具を示す模式図である。
【００３７】
第１の矯正器具１００は、両脚にそれぞれ装着される。第１の矯正器具１００は、ベース部１０で膝を前面側から被覆し、上腿装着部２０で上腿を前面側から被覆し、及び下腿装着部３０で下腿を前面側から被覆した状態で装着される。上腿装着部２０は、上腿の主に太ももを被覆した状態で、ベルト８１を上腿に巻き付けることによって、上腿に装着される。下腿装着部３０は、下腿の主に脛を被覆した状態で、ベルト８２を下腿に巻き付けることによって、下腿に装着される。
【００３８】
第１の矯正器具１００では、上腿装着部２０と下腿装着部３０との成す角度は、第１ナット４８と第２ナット４９との離間距離に応じて決定されている。そして、ボルト４７を回さなければ、上腿装着部２０と下腿装着部３０との成す角度は変化しない。従って、第１の矯正器具１００を装着することによって、上腿装着部２０と下腿装着部３０との成す角度に応じた角度で、膝を曲げた状態で維持することができる。
【００３９】
また、第１の矯正器具１００では、膝、上腿及び下腿を前面側から被覆した状態で、脚に装着される。そのため、第１の矯正器具１００に対して、膝が前方（膝頭側）にズレることが防止される。従って、第１の矯正器具１００では、膝を曲げた状態で確実に固定することができる。
【００４０】
また、第１の矯正器具１００では、固定機構４０が備える回動制御部４６のボルト４７を回すことによって、上腿装着部２０と下腿装着部３０との成す角度を任意に調整することができる。従って、脚に装着する前、又は脚に装着した状態において、膝を曲げる角度を任意に調整して固定することができる。
【００４１】
このように、第１の矯正器具１００では、膝を曲げる角度を任意に調整することができ、かつ膝を曲げた状態で確実に固定することができる。従って、第１の矯正器具１００を脚に装着することによって、ゴルフの練習等において、膝を任意の角度で曲げた状態を維持して、スイングを行うことができる。
【００４２】
なお、第１の矯正器具１００では、固定機構４０から、中央部４１を省略することもできる。その場合には、第１ナット４８は、ベース部１０に取り付けられる。
【００４３】
また、上部アーム部４２を上腿装着部２０と一体的に構成することもできる。その場合には、ベース部１０の方向に突出する、上腿装着部２０の一部分として、上部アーム部４２が形成される。同様に、下部アーム部４３を下腿装着部３０と一体的に構成することができる。その場合には、ベース部１０の方向に突出する、下腿装着部３０の一部分として、下部アーム部４３が形成される。
【００４４】
（第２の矯正器具）
図５を参照して、この発明の第２の実施の形態による矯正器具（以下、第２の矯正器具とも称する）について説明する。図５（Ａ）は、第２の矯正器具を一方の側面側から見た側面図である。図５（Ｂ）は、第１の矯正器具を、図５（Ａ）とは反対の他方の側面側から見た側面図である。なお、図５では、一例として、左脚用の矯正器具の構成を示している。矯正器具を右脚用とする場合には、図５に示す矯正器具を、左右対称に構成すればよい。また、第２の矯正器具は、上述した第１の矯正器具と固定機構の構造が異なっている。第１の矯正器具と共通する構成要素に同一の符号を付し、重複する説明を省略する。
【００４５】
第２の矯正器具２００では、上述した第１の矯正器具の回動制御部に代えて、固定機構９０がネジ部９２を備えている。すなわち、固定機構９０は、中央部４１、上部アーム部４２、下部アーム部４３及びネジ部９２を含んで構成されている。
【００４６】
ネジ部９２は、上部アーム部４２及び下部アーム部４３のいずれか一方に重なる中央部４１の領域において、中央部４１を貫通して設けられている。なお、図５では、上部アーム部４２に重なる中央部４１の領域に、ネジ部９２が設けられている構成例を示している。従って、ネジ部９２を締める方向に回すことによって、ネジ部９２とベース部１０とで、上部アーム部４２を押圧することができる。この押圧によって、上部アーム部４２、及び上部アーム部４２に連動する下部アーム部４３の回動を抑制することができる。その結果、上部アーム部４２と接続された上腿装着部２０、及び下部アーム部４３と接続された下腿装着部３０の回動を抑制することができる。一方、ネジ部９２を緩める方向に回すことによって、上部アーム部４２に対する押圧を緩和することができる。そして、押圧を緩和した状態において、上部アーム部４２と接続された上腿装着部２０、及び下部アーム部４３と接続された下腿装着部３０を回動させることができる。
【００４７】
第２の矯正器具２００では、上腿装着部２０及び下腿装着部３０を回動させることによって、上腿装着部２０と下腿装着部３０との成す角度を任意に調整することができる。そして、上腿装着部２０と下腿装着部３０との成す角度を決定した後に、固定機構９０が備えるネジ部９２を締めることによって、上腿装着部２０及び下腿装着部３０の回動を抑制することができる。従って、第２の矯正器具２００は、上腿装着部２０と下腿装着部３０との成す角度を任意に調整した状態で、上腿装着部２０及び下腿装着部３０をベース部１０に対して固定することができる。
【００４８】
なお、ここでは、固定機構９０が１つのネジ部９２を備え、ネジ部９２が上部アーム部４２及び下部アーム部４３のいずれか一方を押圧する構成例について説明した。しかし、他の構成例として、固定機構９０がネジ部９２を２つ備える構成とすることもできる。その場合には、２つのネジ部９２の一方が上部アーム部４２に重なる中央部４１の領域に、また、他方が下部アーム部４３に重なる中央部４１の領域に、それぞれ設けられる。その結果、２つのネジ部９２によって、上部アーム部４２及び下部アーム部４３の双方を押圧することができる。従って、２つのネジ部９２を備える構成では、ネジ部９２を締める方向に回すことによって、上部アーム部４２及び下部アーム部４３の回動を、１つのネジ部９２を備える構成よりも確実に抑制することができる。
【００４９】
また、第２の矯正器具２００では、ネジ部９２を、中央部４１及びベース部１０を順次に貫通して設けることもできる。この場合には、上部アーム部４２及び下部アーム部４３の双方と重ならない中央部４１の領域に、ネジ部９２が設けられる。また、ベース部１０の裏面側に、ネジ部９２と係合する例えばナット等の雌ネジが取り付けられる。その結果、ネジ部９２を締める方向に回すことによって、中央部４１とベース部１０とで、上部アーム部４２及び下部アーム部４３の双方を押圧することができる。この押圧によって、上腿装着部２０及び下腿装着部３０の回動を抑制することができる。一方、ネジ部９２を緩める方向に回すことによって、上部アーム部４２及び下部アーム部４３に対する押圧を緩和することができる。そして、押圧を緩和した状態において、上腿装着部２０及び下腿装着部３０を回動させることができる。
【００５０】
また、上述した第１の矯正器具と同様に、この第２の矯正器具２００においても、上部アーム部４２を上腿装着部２０と一体的に構成することもできる。その場合には、ベース部１０の方向に突出する、上腿装着部２０の一部分として、上部アーム部４２が形成される。同様に、下部アーム部４３を下腿装着部３０と一体的に構成することができる。その場合には、ベース部１０の方向に突出する、下腿装着部３０の一部分として、下部アーム部４３が形成される。
【００５１】
ここで、上述した第１の矯正器具１００（図１及び図２）では、固定機構４０のボルト４７を回さなければ、上腿装着部２０と下腿装着部３０との成す角度は変化しない。そのため、第１の矯正器具１００は、第２の矯正器具２００よりも確実に、上腿装着部２０と下腿装着部３０との成す角度を固定することができる。従って、膝を任意の角度で曲げた状態で固定するという観点においては、第１の矯正器具１００は、第２の矯正器具２００と比べて有利である。
【００５２】
一方、第１の矯正器具１００は、上腿装着部２０と下腿装着部３０との成す角度を調整する際に、ボルト４７を回す必要がある。これに対して、第２の矯正器具２００では、固定機構９０のネジ部９２を緩めた状態では、上腿装着部２０及び下腿装着部３０の回動が抑制されない。そのため、第２の矯正器具２００では、上腿装着部２０と下腿装着部３０との成す角度を容易に調整することができる。従って、膝を曲げる角度を容易に調整するという観点においては、第２の矯正器具２００は、第１の矯正器具１００と比べて有利である。
【００５３】
第１の矯正器具１００又は第２の矯正器具２００のいずれの構成を採用するかは、使用者の用途等に応じて適宜決めることができる。
【符号の説明】
【００５４】
１０：ベース部
２０：上腿装着部
３０：下腿装着部
４０、９０：固定機構
１００、２００：矯正器具  
【図１】
2016112129.tif 000003
【図２】
2016112129.tif 000004
【図３】
2016112129.tif 000005
【図４】
2016112129.tif 000006
【図５】
2016112129.tif 000007